(57)【要約】【課題】  ＡＶデータを途中で途切れることなく、かつ、なるべく高画質で記録したいというユーザの要望に応えて、残容量がある程度少なくなった記録媒体にＡＶデータを効率よく記録することができるデータ記録方法及びデータ記録装置を提供する。【解決手段】  記録しようとするＡＶデータと記録媒体の残容量とから、可能な限り高画質で記録ができる記録パラメータを算出し、その記録パラメータで記録する記録モードを規定する。【選択図】  図１
2005203900.tif 000002
【特許請求の範囲】
【請求項１】
記録媒体にＡＶデータを記録する方法であって、
記録媒体の残容量を取得し、
記録対象であるＡＶデータのサイズと前記記録媒体の残容量とから記録パラメータを自動的に決定し、
該記録パラメータによって記録を行う方法。
【請求項２】
前記記録パラメータは、記録媒体にＡＶデータを記録する際に適用する画像サイズ、画像符号化方式、フレームレート、音声符号化方式及びビットレートのうち少なくとも１つにより表されることを特徴とする請求項１に記載の方法。
【請求項３】
前記記録パラメータに一定の上限及び下限を設けていることを特徴とする請求項１又は２に記載の方法。
【請求項４】
前記記録対象であるＡＶデータのサイズは、その再生時間により表されることを特徴とする請求項１から３のいずれか１項に記載の方法。
【請求項５】
記録媒体にＡＶデータを記録予約する方法であって、
記録媒体の残容量を取得し、
記録予約対象であるＡＶデータのうち、最後に記録するＡＶデータ以外のＡＶデータの合計サイズを計算し、その合計サイズに相当する記録容量を前記記録媒体の残容量から差し引き、
前記最後に記録するＡＶデータのサイズと前記差し引かれた後の記録媒体の残容量とから記録パラメータを自動的に決定し、
該記録パラメータによって記録を行うよう記録予約する方法。
【請求項６】
請求項５に記載の方法によってされた記録予約に基づいて記録媒体にＡＶデータを記録する方法であって、
記録予約対象であるＡＶデータのうち最後に記録するＡＶデータの記録を開始する前に、
記録媒体の残容量を取得し、前記最後に記録するＡＶデータのサイズと前記記録媒体の残容量とから記録パラメータを決定し、該記録パラメータによって記録を行うことを特徴とする方法。
【請求項７】
前記記録パラメータは、記録媒体にＡＶデータを記録する際に適用する画像サイズ、画像符号化方式、フレームレート、音声符号化方式及びビットレートのうち少なくとも１つにより表されることを特徴とする請求項５又は６に記載の方法。
【請求項８】
前記記録パラメータに一定の上限及び下限を設けていることを特徴とする請求項５から７のいずれか１項に記載の方法。
【請求項９】
前記記録対象であるＡＶデータのサイズは、その再生時間により表されることを特徴とする請求項５から８のいずれか１項に記載の方法。
【請求項１０】
前記記録媒体は、半導体メモリカード、光ディスク、光磁気ディスク、磁気ディスク及び磁気テープからなる群から選択される記録媒体であることを特徴とする請求項１から９のいずれか１項に記載の方法。
【請求項１１】
請求項１から１０のいずれか１項に記載の方法をＡＶデータ記録装置に実行させるためのプログラム。
【請求項１２】
請求項１１に記載のプログラムを記録した記録媒体。
【請求項１３】
記録媒体に対して書き込み及び読み取りを行う記録部と、
前記記録部による記録媒体へのＡＶデータの記録処理を制御する記録制御部と、
を備えたＡＶデータ記録装置において、
前記記録部は記録媒体の残容量を取得し、
前記記録管理部は、記録対象であるＡＶデータのサイズと前記記録媒体の残容量とから記録パラメータを決定し、該記録パラメータによって前記記録部が記録を行うよう制御するＡＶデータ記録装置。
【請求項１４】
１以上のＡＶデータの記録予約を管理する記録予約管理部であって、
前記記録部により記録媒体の残容量を取得し、
記録予約対象であるＡＶデータのうち、最後に記録するＡＶデータ以外のＡＶデータの合計サイズを計算し、その合計サイズに相当する記録容量を前記記録媒体の残容量から差し引き、
前記最後に記録するＡＶデータのサイズと前記差し引かれた後の記録媒体の残容量とから記録パラメータを決定し、
該記録パラメータによって記録を行うよう記録予約するよう管理する記録予約管理部をさらに備えていることを特徴とする請求項１３に記載のＡＶデータ記録装置。
【請求項１５】
請求項１４に記載のＡＶデータ記録装置において、
前記記録管理部は、記録予約対象であるＡＶデータのうち最後に記録するＡＶデータの記録を開始する前に、前記記録部により記録媒体の残容量を取得し、前記最後に記録するＡＶデータのサイズと前記記録媒体の残容量とから記録パラメータを決定し、該記録パラメータによって前記記録部が記録を行うよう制御することを特徴とするＡＶデータ記録装置。
【請求項１６】
ユーザからＡＶデータの記録又は記録予約の操作入力を受け付ける操作入力部をさらに備えていることを特徴とする請求項１３から１５のいずれか１項に記載のＡＶデータ記録装置。
【請求項１７】
前記記録パラメータは、記録媒体にＡＶデータを記録する際に適用する画像サイズ、画像符号化方式、フレームレート、音声符号化方式及びビットレートのうち少なくとも１つにより表されることを特徴とする請求項１３から１６のいずれか１項に記載のＡＶデータ記録装置。
【請求項１８】
前記記録パラメータに一定の上限及び下限を設けていることを特徴とする請求項１３から１７のいずれか１項に記載のＡＶデータ記録装置。
【請求項１９】
前記記録対象であるＡＶデータのサイズは、その再生時間により表されることを特徴とする請求項１３から１８のいずれか１項に記載のＡＶデータ記録装置。
【請求項２０】
記録媒体の挿入及び取り出しを検出する手段と、
記録中に記録媒体が取り出されたときに、記録パラメータ及び記録条件を記憶する手段と、
その後記録媒体が挿入されたときに、前記記憶した記録パラメータ及び記録条件に従って記録を再開する手段と、
をさらに備えていることを特徴とする請求項１３から１９のいずれか１項に記載のＡＶデータ記録装置。
【請求項２１】
請求項２０に記載のＡＶデータ記録装置において、
記録中に記録媒体が取り出された後、記録媒体が再度挿入されたときに、
前記記録部は記録媒体の残容量を取得し、
前記記録管理部は、記録対象であるＡＶデータのサイズと前記記録媒体の残容量とから記録パラメータを決定し、該記録パラメータによって前記記録部が記録を行うよう制御する
ことを特徴とするＡＶデータ記録装置。
【請求項２２】
請求項１３から２１のいずれか１項に記載のＡＶデータ記録装置を有するテレビジョン受像機。
【発明の詳細な説明】
【技術分野】
【０００１】
本発明は、半導体メモリカード、ハードディスク、ＤＶＤメディアなどの書き換え可能な記録媒体にＡＶデータなどのデジタルデータを記録する方法及びその記録装置に関し、特に、記録媒体の残容量に応じて効率よくデジタルデータを記録する方法及びその記録装置に関するものである。
【背景技術】
【０００２】
デジタルテレビジョン放送が推進され、ＤＶＤ再生装置が普及し、ブロードバンドを利用したマルチメディアコンテンツのインターネット配信が一般的となってきた昨今において、ＡＶデータ（映像データや音声データなどを含む、以下において同じ）をデジタルデータとして書き換え可能に記録する媒体が広く利用されるに至っている。
【０００３】
デジタルビデオカセット、ＤＶＤ−ＲＡＭ、ＤＶＤ−ＲＷ等は記録容量が大きく、ＡＶデータを高いビットレートで記録することができるが、やや大型の専用の記録再生装置が必要となる。一方、ＥＥＰＲＯＭ（Electrically Erasable Programmable ROM）等からなる半導体メモリカードは、小型軽量でありアダプタに差し込んで簡単に利用できるものであるが、記録容量が数十ＭＢ〜数ＧＢと比較的小さいため、ＡＶデータのビットレートを下げて記録時間を長く取る利用形態が一般的である。また、半導体メモリカードは携帯性に優れていることから、携帯電話機やＰＤＡなどの携帯端末用の記録媒体としても利用されることが多い。
【０００４】
このような記録媒体にＡＶデータを記録するにあたって、一般的に、ビットレートやフレームレートの異なる数種類の記録モードの中から１つの記録モードをユーザ操作によりあるいは自動的に選択して記録を行うことができるようになっている。従来のＡＶデータの記録装置における記録モードの例を図７に示している。この例では、ビットレート及びフレームレートの高い順に、ファインモード、ノーマルモード、ポータブルモードの３種類が規定されている。
【０００５】
ユーザは、記録するＡＶデータのコンテンツによって、これらの記録モードを使い分けて記録することができる。例えば、映画やドラマなどのコンテンツはユーザが高画質で視聴することを望むためファインモードで記録し、ニュースやスポーツ中継などのコンテンツはやや画質を低下したノーマルモードで記録するなどである。尚、ポータブルモードは、主に携帯端末で視聴するためのコンテンツの記録モードである。このように、記録する対象データに応じて記録モードを使い分けることにより、記録媒体の限られた記録容量を効率よく利用することができる。
【０００６】
特許文献１に記載の携帯型映像記録装置では、入力された音声及び映像データを符号化してメモリカードに記憶する際に、パラメータ設定装置によって、記録対象の映像コンテンツ、画像サイズ及び画像解像度に応じて平均的なフレームレート及びビットレートを最適な範囲に設定するとともに、符号化時にフレームレート又はフレーム画質を動的に変動させて全体としてのビットレートを一定に保つことを特徴としている。特許文献１の図２及び図３には、記録対象の映像コンテンツ、画像サイズ及び画像解像度と、それに応じたフレームレート及びビットレートの範囲を記憶したデータベースのテーブル構成が示されている。
【０００７】
また、ユーザは、記録媒体の残容量が少なくなってきた場合には、画質を落としてでも記録したいコンテンツの全部を記録媒体に記録しようと考えることがある。例えば、図９に示す例において、記録媒体の残容量が１ＧＢである時に６０分のＡＶデータをファインモードで記録することは不可能であるが、ノーマルモードでは記録することができる。
【０００８】
特許文献２に記載の情報記録再生装置及び情報記録再生方法では、ディスクの記録容量が規定値以下になったと判断したとき、再圧縮設定フラグ又は再圧縮順序設定フラグが設定することにより、ユーザが高画質で保存しておきたい内容と低画質で保存してもよい内容とを区別して、記録データの内容に応じた再圧縮、再記録処理を施すことができるようになっている。
【０００９】
【特許文献１】特開２００３−３２６２９号公報。
【特許文献２】特開２００３−２３５００９号公報。
【発明の開示】
【発明が解決しようとする課題】
【００１０】
ユーザは、ＡＶデータを途中で途切れることなく、かつ、なるべく高画質で記録したいと考えるものである。ところが、上記した図９の例で、記録媒体の残容量が１ＧＢである時に６０分のＡＶデータを記録したい場合に、ファインモードで記録するとすればＡＶデータが途中で途切れることとなり、記録モードをノーマルモードに下げると６０分のＡＶデータ全部を記録残容量の約半分を使って記録することができるが、記録後に記録媒体にさらに容量が残ってしまうこととなる。すなわち、図９に示すような従来の記録モードでは、残容量がある程度少なくなった記録媒体にＡＶデータを効率よく記録することが困難である。
【００１１】
特許文献２に記載の技術によれば、ディスクの記録容量が規定値以下になったときに、記録データの内容に応じて既に記録されているデータを再圧縮し再記録することにより、記録効率を高めることができるが、ユーザがそのような再圧縮・再記録を望まない場合には残記録容量を増やすことはできず、記録効率を高めることもできない。
【００１２】
また、特許文献２の第００８２〜００８４段落によれば、再圧縮における圧縮率を１Ｍｂｐｓ、２Ｍｂｐｓ、３Ｍｂｐｓ、４Ｍｂｐｓなど数段階のレベルとして設定することとなっているが、これは上記した従来技術の例におけるファインモード、ノーマルモード、ポータブルモードなどの記録モードに相当するものであり、したがって、特許文献２に記載の技術を参酌しても、依然として上記した、残容量がある程度少なくなった記録媒体にＡＶデータを効率よく記録することが困難であるという技術的課題が解決されるものではない。
【００１３】
そこで、本発明は、このような実情に鑑みてなされたものであり、ＡＶデータを途中で途切れることなく、かつ、なるべく高画質で記録したいというユーザの要望に応えて、残容量がある程度少なくなった記録媒体にＡＶデータを効率よく記録することができるデータ記録方法及びデータ記録装置を提供しようとするものである。
【課題を解決するための手段】
【００１４】
上記解決課題に鑑みて鋭意研究の結果、本発明者は、記録しようとするＡＶデータと記録媒体の残容量とから、可能な限り高画質で記録ができる記録パラメータを算出し、その記録パラメータで記録する記録モードを規定することに想到した。ここで、記録パラメータとは、図２に示す画像サイズ、画像符号化方式、フレームレート、音声符号化方式、フォーマット、ビットレートなどの記録の質（画質、音質等）を決定する要因となるパラメータのことである。
【００１５】
すなわち、本発明は、記録媒体にＡＶデータを記録する方法であって、記録媒体の残容量を取得し、記録対象であるＡＶデータのサイズと前記記録媒体の残容量とから記録パラメータを自動的に決定し、該記録パラメータによって記録を行う方法を提供するものである。
【００１６】
本発明は、また、記録媒体にＡＶデータを記録予約する方法であって、記録媒体の残容量を取得し、記録予約対象であるＡＶデータのうち、最後に記録するＡＶデータ以外のＡＶデータの合計サイズを計算し、その合計サイズに相当する記録容量を前記記録媒体の残容量から差し引き、前記最後に記録するＡＶデータのサイズと前記差し引かれた後の記録媒体の残容量とから記録パラメータを自動的に決定し、該記録パラメータによって記録を行うよう記録予約する方法を提供するものである。
【００１７】
本発明は、また、上記の方法によってされた記録予約に基づいて記録媒体にＡＶデータを記録する方法であって、記録予約対象であるＡＶデータのうち最後に記録するＡＶデータの記録を開始する前に、記録媒体の残容量を取得し、前記最後に記録するＡＶデータのサイズと前記記録媒体の残容量とから記録パラメータを決定し、該記録パラメータによって記録を行う方法を提供するものである。
【００１８】
本発明のＡＶデータ記録方法又は記録予約方法において、前記記録パラメータは、記録媒体にＡＶデータを記録する際に適用する画像サイズ、画像符号化方式、フレームレート、音声符号化方式及びビットレートのうち少なくとも１つにより表されることを特徴とする。
【００１９】
これらのパラメータを適宜変更することにより、映像及び音声を含む一定サイズのＡＶデータを所望の記録容量で収容することが可能となる。
【００２０】
本発明のＡＶデータ記録方法又は記録予約方法では、前記記録パラメータに一定の上限及び下限を設けていることを特徴とする。
【００２１】
記録パラメータに下限を設けておくことにより、ユーザが意図しないような低画質での記録が行われるのを防止することができ、また、記録パラメータに上限を設けておくことにより、ＡＶデータ記録装置の性能を超えるほど高ビットレートでの記録が行われるのを防ぐことができる。
【００２２】
本発明のＡＶデータ記録方法又は記録予約方法において、前記記録対象であるＡＶデータのサイズは、その再生時間により表されることを特徴とする。
【００２３】
ユーザにとっては、ＡＶデータのサイズを、その再生時間として把握するのが容易である。また、記録媒体の残容量を記録対象であるＡＶデータの再生時間で割ることにより、大体の記録ビットレートを計算することができるので便利である。
【００２４】
本発明のＡＶデータ記録方法又は記録予約方法において、前記記録媒体は、半導体メモリカード、光ディスク、光磁気ディスク、磁気ディスク及び磁気テープからなる群から選択される記録媒体であることを特徴とする。
【００２５】
本発明は、また、上記に記載のＡＶデータ記録方法又は記録予約方法をＡＶデータ記録装置において実行させるためのプログラム、並びに該プログラムを記録した記録媒体を提供するものである。
【００２６】
本発明は、また、記録媒体に対して書き込み及び読み取りを行う記録部と、前記記録部による記録媒体へのＡＶデータの記録処理を制御する記録制御部と、を備えたＡＶデータ記録装置において、前記記録部は記録媒体の残容量を取得し、前記記録管理部は、記録対象であるＡＶデータのサイズと前記記録媒体の残容量とから記録パラメータを決定し、該記録パラメータによって前記記録部が記録を行うよう制御するＡＶデータ記録装置を提供するものである。
【００２７】
本発明のＡＶデータ記録装置は、１以上のＡＶデータの記録予約を管理する記録予約管理部であって、前記記録部により記録媒体の残容量を取得し、記録予約対象であるＡＶデータのうち、最後に記録するＡＶデータ以外のＡＶデータの合計サイズを計算し、その合計サイズに相当する記録容量を前記記録媒体の残容量から差し引き、前記最後に記録するＡＶデータのサイズと前記差し引かれた後の記録媒体の残容量とから記録パラメータを決定し、該記録パラメータによって記録を行うよう記録予約するよう管理する記録予約管理部をさらに備えていることを特徴とする。
【００２８】
本発明のＡＶデータ記録装置において、前記記録管理部は、記録予約対象であるＡＶデータのうち最後に記録するＡＶデータの記録を開始する前に、前記記録部により記録媒体の残容量を取得し、前記最後に記録するＡＶデータのサイズと前記記録媒体の残容量とから記録パラメータを決定し、該記録パラメータによって前記記録部が記録を行うよう制御することを特徴とする。
【００２９】
本発明のＡＶデータ記録装置は、ユーザからＡＶデータの記録又は記録予約の操作入力を受け付ける操作入力部をさらに備えていることを特徴とする。例えば、赤外線を利用したリモコンユニットや、操作ボタンを含む操作パネルなどを設けて、ユーザが操作できるようにすればよい。
【００３０】
本発明のＡＶデータ記録装置において、前記記録パラメータは、記録媒体にＡＶデータを記録する際に適用する画像サイズ、画像符号化方式、フレームレート、音声符号化方式及びビットレートのうち少なくとも１つにより表されることを特徴とする。
【００３１】
本発明のＡＶデータ記録装置では、前記記録パラメータに一定の上限及び下限を設けていることを特徴とする。
【００３２】
本発明のＡＶデータ記録装置において、前記記録対象であるＡＶデータのサイズは、その再生時間により表されることを特徴とする。
【００３３】
本発明のＡＶデータ記録装置は、さらに、記録媒体の挿入及び取り出しを検出する手段と、記録中に記録媒体が取り出されたときに、記録パラメータ及び記録条件を記憶する手段と、その後記録媒体が挿入されたときに、前記記憶した記録パラメータ及び記録条件に従って記録を再開する手段とを備えていることを特徴とする。
【００３４】
これにより、例えば、設定でき得る最小のビットレートで記録した場合でも、メモリカードの容量に記録しきれない記録時間で記録の設定がされた場合であっても、カードの抜き差し動作のみで記録作業を継続的に行うことが可能となる。
【００３５】
さらに、本発明のＡＶデータ記録装置において、記録中に記録媒体が取り出された後、記録媒体が再度挿入された場合には、前記記録部は記録媒体の残容量を取得し、前記記録管理部は、記録対象であるＡＶデータのサイズと前記記録媒体の残容量とから記録パラメータを決定し、該記録パラメータによって前記記録部が記録を行うよう制御することを特徴とする。
【００３６】
これにより、ピッタリモードでの記録時においては、新たに挿入されたメモリカードの残容量に応じた最適ビットレートが再度計算されて最適なビットレートを選択するので、前のメモリカードによって最後に記録された低ビットレートの状態を維持せずに、再び最適な画質（例えばファインモード）で記録を再開することが可能となる。また、カードの差し替え作業が記録中に入ったとしても、新たに挿入されたカードにおける最適なビットレートでの記録が実行されるので、効率良くかつユーザに不快な視聴感覚を極力与えないようにすることができる。
【００３７】
本発明は、また、上記したＡＶデータ記録装置を内蔵したテレビジョン受像機を提供するものである。テレビジョン受像機において、ＢＳ放送、ＣＳ放送、地上デジタル放送、地上アナログ放送、ＣＡＴＶ放送などを受信し、これを上記したＡＶデータ記録装置に記録又は記録予約するような利用形態が提案される。
【発明の効果】
【００３８】
以上、説明したように、本発明の記録媒体へのデータ記録方法及びデータ記録装置によれば、残容量がある程度少なくなった記録媒体にＡＶデータを効率よく記録するよう規定された記録モードを用いて記録を行うことにより、ＡＶデータを途中で途切れることなく、かつ、なるべく高画質で記録することが可能となる。
【発明を実施するための最良の形態】
【００３９】
以下、添付図面を参照しながら、本発明の記録媒体へのデータ記録方法及びデータ記録装置を実施するための最良の形態を詳細に説明する。図１〜図６は、本発明の実施の形態を例示する図であり、これらの図において、同一の符号を付した部分は同一物を表わし、基本的な構成及び動作は同様であるものとする。
【００４０】
図１は、本発明の記録媒体へのデータ記録方法及びデータ記録装置の一実施形態として、半導体メモリカードを記録媒体として利用するテレビジョン受像機の内部構成を概略的に示す機能ブロック図である。
【００４１】
[テレビジョン受像機の構成]
図１に示すテレビジョン受像機は、放送受信用アンテナ１０２と、受信処理部１０４と、デコーダ部１０６と、映像出力部１０８と、モニタ１１０と、音声出力部１１２と、スピーカ１１４と、メモリカード制御部１１６と、メモリカードアダプタ１１８と、操作入力部１２２と、これら各機能部を制御する主制御部１００とを備えている。
【００４２】
主制御部１００は、ＣＰＵやＭＰＵなどから構成される制御演算処理装置であり、本テレビジョン受像機の各機能部の動作並びに各機能部間のデータ通信を制御する。具体的には、主制御部１００は、図示しないＲＯＭ等に記憶された動作用プログラムに従い、図示しないＲＡＭ等のワーキングメモリとして使用して、本テレビジョン受像機において必要な制御、演算及びデータ送受信の処理を実行することができる。
【００４３】
放送受信用アンテナ１０２は、ＢＳ放送、ＣＳ放送、地上デジタル放送、地上アナログ放送などのいずれかを受信できるアンテナである。受信処理部１０４は、各種放送信号から所定の周波数チャンネルの放送データを取得するチューナを含んでおり、さらにデジタル放送の場合にはＴＳ（Transport Stream）信号をデコードするトランスポートデコーダなどを含んでいる。
【００４４】
デコーダ部１０６は、受信処理部１０４において取得された放送データやメモリカード１２０から入力される再生データを映像信号及び音声信号にデコードする。現在、デジタル放送やデジタルデータ記録媒体では、デジタルＡＶデータのエンコード規格はＭＰＥＧ４などが一般的である。尚、放送受信用アンテナ１０２から受信処理部１０４までがアナログ信号系統のみである場合には、デコーダ部１０６は不要である。
【００４５】
映像出力部１０８は、デコーダ部１０６から映像信号を取得し、モニタ１１０において表示可能な信号形態で出力する。音声出力部１１２は、デコーダ部１０６から音声信号を取得し、スピーカ１１４において再生可能な信号形態で出力する。
【００４６】
メモリカードアダプタ１１８は、メモリカード１２０を差し込むためのスロットなどであり、メモリカード１２０の規格に応じて作られており、本テレビジョン受像機に備え付けのものであっても、外付けタイプのものであってもよい。メモリカード１２０は、書き換え可能な半導体メモリカード、例えば、コンパクトフラッシュ（Compact Flash；登録商標）やスマートディア（Smart Media；登録商標）、ＳＤメモリーカード、メモリースティック、マルチメディアカード、ｘＤピクチャーカードなどである。
【００４７】
メモリカード制御部１１６は、メモリカードアダプタ１１８のドライバやホストコントローラを含んでおり、メモリカード１２０のカード情報を管理するとともに、メモリカード１２０へのデータ記録及びメモリカード１２０からのデータ再生を制御する。また、放送受信用アンテナ１０２から受信処理部１０４までがアナログ信号系統のみでありデコーダ部１０６がない場合には、メモリカード制御部１１６において、デジタルＡＶデータとアナログＡＶデータの相互変換を行う。
【００４８】
操作入力部１２２は、ユーザからの操作を受け付けるための処理部であり、例えば、赤外線を利用したリモコンユニットや、操作ボタンを含む操作パネルなどにより構成することができる。
【００４９】
上記のように構成された本実施形態のテレビジョン受像機において、放送受信用アンテナ１０２により受信した放送データに含まれるＡＶデータをメモリカード１２０に記録することができる。ユーザは、操作入力部１２２により好みのチャンネルを選局し、メモリカード１２０への記録（一般的には「録画」と言われる）を行うよう操作することができる。また、ユーザは、ＡＶデータをメモリカード１２０に記録する際に、記録モードを選択することとなる。
【００５０】
図２は、本実施形態のテレビジョン受像機においてＡＶデータをメモリカード１２０に記録する際に利用可能な記録モードの一覧を示すテーブル図である。図２において、ファインモード、ノーマルモード、ポータブルモード及びピッタリモードの４つの記録モードが規定されている。これらの記録モードのうち、ファインモード、ノーマルモード及びポータブルモードについては、図９に示した従来のＡＶデータの記録装置における記録モードの例と同様である。本実施形態のテレビジョン受像機において、ユーザは、これら４つの記録モードの中から、任意の記録モードを選択して記録を行わせることができる。
【００５１】
[テレビジョン受像機における記録モード]
図２に示すように、ピッタリモードは、画像サイズ、画像符号化方式、フレームレート、音声符号化方式及びフォーマットはファインモード及びノーマルモードと同じであるが、ビットレートを可変にした点で異なる記録モードである。ピッタリモードで記録する場合のビットレートは、ノーマルモードで記録する場合のビットレート（１Ｍｂｐｓ）以上、かつ、ファインモードで記録する場合のビットレート以下、すなわち、１〜２．５Ｍｂｐｓの範囲内で決定されるものである。
【００５２】
より具体的には、ピッタリモードで記録する場合のビットレートは、記録対象のＡＶデータの再生時間と記録媒体の残容量とから算定されるものである。例えば、残容量が１ＧＢの記録媒体に６０分のＡＶデータを記録する場合に、ピッタリモードでの記録を選択すると、１ＧＢの記録容量をほぼ全部を用いて６０分のＡＶデータが記録されるようなビットレート、
１ＧＢ÷６０分＝約２．２２Ｍｂｐｓ      （式１）
が算出され、そのビットレートにて記録が行われる。尚、ピッタリモードにおける記録ビットレートの算出方法は上記の式に限定されるわけではない。
【００５３】
[テレビジョン受像機における記録の動作]
図３は、本テレビジョン受像機においてメモリカード１２０にＡＶデータの記録を行う動作について、処理の流れを示すフローチャートである。尚、以下に示す処理は、主に本テレビジョン受像機の主制御部１００がメモリカード制御部１１６等を制御して実現するものである。
【００５４】
図３において、まず、ユーザが本テレビジョン受像機の操作入力部１２２により記録条件を入力し、記録開始の操作をする（ステップＳ３０１）。ここで入力される記録条件とは、記録対象の番組チャンネル、記録開始時刻、記録終了時刻、記録モードなどである。記録開始時刻及び記録終了時刻を入力する代わりに、記録時間を入力するようにしてもよい。以降、記録を開始するまでの処理は、ユーザが選択した記録モードによって異なる。
【００５５】
ユーザがピッタリモードを記録モードとして選択した場合には、記録ビットレートを決定するための処理を行う。すなわち、メモリカード１２０の残容量を取得し（ステップＳ３０２）、この残容量とユーザが入力したＡＶデータの記録時間とから、記録に最適なビットレートを計算する（ステップＳ３０３）。この最適ビットレートの計算は、上記において（式１）で例示した方法で行えばよい。
【００５６】
次に、計算された最適ビットレートと、図２のテーブルにおいて規定されているファインモードのビットレート及びノーマルモードのビットレートとの大小を比較する（ステップＳ３０４及びＳ３０６）。計算された最適ビットレートがファインモードのビットレートよりも大きい場合には、記録ビットレートをファインモードのビットレートに設定し（ステップＳ３０５）、計算された最適ビットレートがノーマルモードのビットレートよりも小さい場合には、記録ビットレートをノーマルモードのビットレートに設定する（ステップＳ３０７）。
【００５７】
一方、計算された最適ビットレートがノーマルモードのビットレート以上、かつ、ファインモードのビットレート以下である場合には、その計算された最適ビットレートを記録ビットレートに設定する（ステップＳ３０８）。
【００５８】
また、ステップＳ３０１において、ユーザがファインモードモード又はノーマルモードを記録モードとして選択した場合には、それぞれ、ステップＳ３０５及びＳ３０７に進み、それぞれ規定の記録ビットレートが設定されることとなる。
【００５９】
こうして、それぞれ設定された記録ビットレートによって、記録を開始することができる（ステップＳ３０９）。ピッタリモードにおける記録ビットレートは一定範囲内において可変に設定されることとなるので、メモリカードの残容量を効率よく利用して可能な限り高画質で記録を行うことができる。また一方で、記録ビットレートの可変値の上限及び下限を設けることにより、ユーザが意図しないような低画質での記録が行われたり、テレビジョン受像機の性能を超えるほど高ビットレートでの記録が行われたりするのを防ぐことができる。
【００６０】
尚、計算された最適ビットレートがノーマルモードのビットレートよりも小さい場合には、ノーマルモードのビットレートを記録ビットレートとして記録すると、記録対象の全部を記録することができず記録が途中で途切れてしまうこととなるため、ステップＳ３０７の処理をする前段階として、ユーザに警告表示をするのが好ましい。
【００６１】
ここで示す動作態様は一例に過ぎず、例えば、ピッタリモードのビットレートの可変範囲をファインモード〜ポータブルモードの範囲とするなどの設計変更を適宜行うことが可能である。
【００６２】
[テレビジョン受像機における記録予約の動作]
次に、本実施形態のテレビジョン受像機において、メモリカード１２０にＡＶデータの記録予約を行う動作について説明する。図４は、記録予約を行う際にモニタ１１０に表示される各ユーザインターフェース画面を示す画面遷移図である。尚、以下に示す処理は、主に本テレビジョン受像機の主制御部１００がメモリカード制御部１１６等を制御して実現するものである。
【００６３】
ユーザは、図４の（ａ）に示す画面において、メモリカード１２０への記録予約を設定するためのインターフェース画面を呼び出すことができる。図４の（ｂ）に示す画面において、ユーザは操作入力部１２２を通じて、記録予約を１件ごとに設定することができるようになっている。また、記録予約を設定するごとに、その記録に費やされる記録容量をメモリカード１２０の残容量から差し引いた残り記録可能時間が表示されるようになっている。図４の（ｂ）では、ファインモードで記録した場合の残り記録可能時間を表示しているが、これとともにノーマルモードやポータブルモードで記録した場合の残り記録可能時間を表示してもよい。
【００６４】
今、図４の（ｂ）の状態では、ファインモードで約５０分の記録時間に相当する記録容量がメモリカード１２０に残っているが、ここでユーザが５０分を超えるＡＶデータを続けて記録したい場合には、ピッタリモードでの記録を設定することになる。図４の（ｃ）に示すようにピッタリモードでの記録を設定すると、そこで記録予約の設定の動作は終了する。
【００６５】
尚、メモリカード１２０の残り記録可能時間の表示方法は、上記したものに限られるわけではない。図８は、メモリカード１２０にＡＶデータの記録予約を行う際に、モニタに表示されるユーザインターフェース画面の他の例を示す図である。ユーザが、記録予約の設定画面において記録日時、開始時間及び終了時間を入力すると、ファインモード、ノーマルモード、ピッタリモードそれぞれの記録モードにおける残り記録時間が表示される。ユーザは、この残り記録時間の表示を見て、最適な記録モードを知ることができる。図８に示す例では、記録時間が２２分間であるところ、ファインモードでは記録容量不足であり、ノーマルモードではやや記録容量が余ることとなり、ピッタリモードでは残記録容量を全部使いきって記録することができるということが明確に理解できる。
【００６６】
図５は、上記したように本実施形態のテレビジョン受像機において、メモリカード１２０にＡＶデータの記録予約を行う動作について、処理の流れを示すフローチャートである。本フローチャートに示す一連の処理は、図４の（ｃ）に示すようにピッタリモードでの記録が設定されることにより開始されるものである（ステップＳ５０１）。
【００６７】
まず、メモリカード１２０の残容量を取得し（ステップＳ５０２）、ピッタリモードでの記録予約以外に、記録予約が設定されているかどうかを判断する（ステップＳ５０３）。図４の（ｂ）に示すように、ピッタリモードでの記録予約より早い時刻において他の記録予約が設定されている場合には、取得したメモリカード１２０の残容量から他の記録予約に費やされる記録容量分を差し引く（ステップＳ５０４）。こうして得られたメモリカード１２０の残容量からピッタリモードでの記録予約について、最適ビットレートを計算する。尚、以降のステップＳ５０６〜Ｓ５１０における処理は、それぞれ、図３のステップＳ３０４〜Ｓ３０８における処理と同様であるので、ここでは説明を省略する。これらのステップにおいてピッタリモードでの記録予約について記録ビットレートが設定されると、これを他の記録予約情報とともに本テレビジョン受像機のメモリ等に記憶し、記録予約の設定を終了する（ステップＳ５１１）。
【００６８】
図６は、上記したように記録予約が設定された本実施形態のテレビジョン受像機において、記録予約設定に従って記録を行う動作について、処理の流れを示すフローチャートである。本フローチャートに示す一連の処理は、上記のように設定されたピッタリモードでの記録予約の記録開始時刻が到来した時に開始されるものである（ステップＳ６０１）。より精確には、ピッタリモードでの記録予約の記録開始時刻の数秒〜数十秒前に、ステップＳ６０１の処理を開始するのが好ましい。
【００６９】
まず、メモリカード１２０の残容量を取得し（ステップＳ６０２）、記録予約設定に従って最適ビットレートを計算する（ステップＳ６０３）。これは、記録予約の設定行った後に、メモリカード１２０が取り替えられたり、記録や消去が行われたりしたことにより、メモリカード残容量が記録予約の設定時と異なっていることがあるためである。従って、ステップＳ６０１の後に、メモリカード１２０の状態が記録予約の設定時と異なっていないかどうかをチェックし、異なっていない場合にはそのままの設定で記録を開始するようにしてもよい。
【００７０】
以降続くステップＳ６０４〜Ｓ６０８における処理は、それぞれ、図３のステップＳ３０４〜Ｓ３０８における処理と同様であるので、ここでは説明を省略する。これらのステップにおいてピッタリモードでの記録予約について記録ビットレートが設定されると、その設定に従って記録を開始する（ステップＳ６０９）。
【００７１】
また、図７は、上記したように記録予約が設定された本実施形態のテレビジョン受像機において、記録予約設定に従って記録を行う動作について、カード残容量がなくなった等の理由でカードの差し換え作業があった際の処理の流れを示すフローチャートである。本フローチャートに示す一連の処理は、上記のように設定された各記録モードで記録された状態から、メモリカードの取り出し操作があった場合（ステップＳ６１０）、メモリカードへの記録を中断すると同時に記録作業中断前の記録モードを例えばマイコンに直結した設定値を記憶するためのメモリ（例：ＥＥＰＲＯＭ等）に記憶させておく（ステップＳ６１１）。この時、記録モードを記憶させるか否かについては、例えば記録予約中のプログラムが実行中か否かの情報を元に判断するステップがあっても良い。
【００７２】
そして、新たにカードが挿入されたか判断するステップＳ６１２でカードが挿入されたと判断されたときは、記録中あるいは記録予約の設定時間内であるかの判断をもって（ステップＳ６１３）設定記憶された記録モードをマイコンが読み出し、ファインモード、ピッタリモード、ノーマルモードのいずれかの設定を選択して（ステップＳ６１５、Ｓ６１６、Ｓ６１７）、設定された記録モードに対応する記録ビットレートで記録動作を再び継続する（ステップＳ６１８）。このうち、ピッタリモードの場合には、図３のステップ３０２のフローチャートに従って、新たに挿入されたメモリカードの残容量に応じた最適ビットレートが再度計算され、適当な記録モードを選択する。
【００７３】
以上のフローチャートによって、例えば、設定でき得る最小のビットレートで記録した場合でも、メモリカードの容量に記録しきれない記録時間で記録の設定がされた場合であっても、カードの抜き差し動作のみで記録作業を継続的に行うことが可能となる。また、ピッタリモードでの記録時においては、新たに挿入されたメモリカードの残容量に応じた最適ビットレートが再度計算されて最適なビットレートを選択するので、前のメモリカードによって最後に記録された低ビットレートの状態を維持せずに、再び最適な画質（例えばファインモード）で記録を再開することが可能となる。また、カードの差し替え作業が記録中に入ったとしても、新たに挿入されたカードにおける最適なビットレートでの記録が実行されるので、効率良くかつユーザに不快な視聴感覚を極力与えないようにすることができる。
【００７４】
以上、本発明の記録媒体へのデータ記録方法及びデータ記録装置について、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【産業上の利用可能性】
【００７５】
本発明の記録媒体へのデータ記録方法及びデータ記録装置は、デジタルビデオカセット、ＤＶＤ−ＲＡＭ、ＤＶＤ−ＲＷ、ＭＯ等や、ＥＥＰＲＯＭ（Electrically Erasable Programmable ROM）等からなる半導体メモリカード、例えば、コンパクトフラッシュ（Compact Flash；登録商標）やスマートディア（Smart Media；登録商標）、ＳＤメモリーカード、メモリースティック、マルチメディアカード、ｘＤピクチャーカードなど、さらにＰＣカード型ＨＤＤ（ハードディスク装置）を含む一般のＨＤＤや、書き換え可能なあらゆる記録媒体にＡＶデータ等を記録する方法及び装置として応用可能である。また、これら以外にも、一回のみ書き込み可能なＤＶＤ−Ｒなどの記録媒体へのデータ記録にももちろん応用可能である。
【図面の簡単な説明】
【００７６】
【図１】本発明の記録媒体へのデータ記録方法及びデータ記録装置の一実施形態として、半導体メモリカードを記録媒体として利用するテレビジョン受像機の内部構成を概略的に示す機能ブロック図である。
【図２】図１に示すテレビジョン受像機においてＡＶデータをメモリカードに記録する際に利用可能な記録モードの一覧を示すテーブル図である。
【図３】図１に示すテレビジョン受像機においてメモリカードにＡＶデータの記録を行う動作について、処理の流れを示すフローチャートである。
【図４】図１に示すテレビジョン受像機においてメモリカードにＡＶデータの記録予約を行う際に、モニタに表示される各ユーザインターフェース画面を示す画面遷移図である。
【図５】図１に示すテレビジョン受像機においてメモリカードにＡＶデータの記録予約を行う動作について、処理の流れを示すフローチャートである。
【図６】図１に示すテレビジョン受像機において、記録予約設定に従って記録を行う動作について、処理の流れを示すフローチャートである。
【図７】図１に示すテレビジョン受像機において、記録動作中にメモリカードが差し替えられた場合の処理の流れを示すフローチャートである。
【図８】図１に示すテレビジョン受像機においてメモリカードにＡＶデータの記録予約を行う際に、モニタに表示されるユーザインターフェース画面の他の例を示す図である。
【図９】従来のＡＶデータの記録装置における記録モードの例を一覧表示するテーブル図である。
【符号の説明】
【００７７】
１００  主制御部
１０２  放送受信用アンテナ
１０４  受信処理部
１０６  デコーダ部
１０８  映像出力部
１１０  モニタ
１１２  音声出力部
１１４  スピーカ
１１６  メモリカード制御部
１１８  メモリカードアダプタ
１２０  メモリカード
１２２  操作入力部
【図１】
2005203900.tif 000003
【図２】
2005203900.tif 000004
【図３】
2005203900.tif 000005
【図４】
2005203900.tif 000006
【図５】
2005203900.tif 000007
【図６】
2005203900.tif 000008
【図７】
2005203900.tif 000009
【図８】
2005203900.tif 000010
【図９】
2005203900.tif 000011